(57)【要約】【課題】本考案は、干支及び般若心経の文字を刻んだ数珠及びその数珠を収納する数珠収納箱を提供することを目的とするものである。【解決手段】本考案は、子から亥までの干支のいずれかの文字を刻んだ数珠玉、摩から経までの般若心経のいずれかの文字を刻んだ数珠玉、及び文字を刻んでいない数珠玉からなる２０個の数珠玉を紐で結んで環状にし、前記紐の先端に紐房を取り付けたことを特徴とする数珠、並びに、箱及び蓋を蝶番により回動可能に取り付け、前記箱及び蓋の内側に数珠を保護する緩衝材を敷き、前記箱の内部に数珠を掛ける留具を設けたことを特徴とする数珠を収納する数珠収納箱の構成とした。【選択図】図１
0003121370.tif 000002
【実用新案登録請求の範囲】
【請求項１】
子から亥までの干支のいずれかの文字を刻んだ数珠玉、摩から経までの般若心経のいずれかの文字を刻んだ数珠玉、及び文字を刻んでいない数珠玉からなる２０個の数珠玉を紐で結んで環状にし、前記紐の先端に紐房を取り付けたことを特徴とする数珠。
【請求項２】
箱及び蓋を蝶番により回動可能に取り付け、前記箱及び蓋の内側に数珠を保護する緩衝材を敷き、前記箱の内部に数珠を掛ける留具を設けたことを特徴とする請求項１に記載の数珠を収納する数珠収納箱。
【考案の詳細な説明】
【技術分野】
【０００１】
本考案は、干支及び般若心経の文字を刻んだ数珠及びその数珠を収納する数珠収納箱に関するものである。
【背景技術】
【０００２】
数珠は、数多くの玉を糸で貫いて輪形にした仏具であり、仏事又は法要の際、手や首にかけたり、もんだり、又は玉をつまぐって念仏の回数を数えたりする。
【０００３】
特許文献１に記載されているように、数珠玉の所望の位置に正確にレーザー光を照射して見栄えよく文字等を形成した仏具の発明も公開されている。
【特許文献１】特開２００５−１９３５５１号公報
【考案の開示】
【考案が解決しようとする課題】
【０００４】
しかしながら、従来においては、経文などの文字や図形等を記した数珠玉は存在するが、所有者の干支を記した数珠玉は存在しない。
【０００５】
そこで、本考案は、干支及び般若心経の文字を刻んだ数珠及びその数珠を収納する数珠収納箱を提供することを目的とするものである。
【課題を解決するための手段】
【０００６】
本考案は、上記の課題を解決するために、子から亥までの干支のいずれかの文字を刻んだ数珠玉４ａ、摩から経までの般若心経のいずれかの文字を刻んだ数珠玉４ｂ〜４ｋ、及び文字を刻んでいない数珠玉４、４ｌからなる２０個の数珠玉を紐４ｎで結んで環状にし、前記紐４ｎの先端に紐房４ｐを取り付けたことを特徴とする数珠３〜３ｋ、並びに、箱２ａ及び蓋２ｂを蝶番２ｇにより回動可能に取り付け、前記箱２ａ及び蓋２ｂの内側に数珠３を保護する緩衝材２ｃ、２ｄを敷き、前記箱２ａの内部に数珠３を掛ける留具２ｆを設けたことを特徴とする数珠３を収納する数珠収納箱２の構成とした。
【考案の効果】
【０００７】
本考案は、以上の構成であるから以下の効果が得られる。第１に、数珠に文字を刻むことにより装飾性が向上する。また、般若心経の文字を刻むことで、宗教性を高めると共に、所有者の干支の文字を刻むことで、親近感も持たせることができる。
【０００８】
第２に、数珠を数珠収納箱に収納することにより、緩衝材により保護されるので、数珠を傷つけずに保管することができる。
【考案を実施するための最良の形態】
【０００９】
本考案は、干支及び般若心経の文字を刻んだ数珠及びその数珠を収納する数珠収納箱を提供するという目的を、子から亥までの干支のいずれかの文字を刻んだ数珠玉、摩から経までの般若心経のいずれかの文字を刻んだ数珠玉、及び文字を刻んでいない数珠玉からなる２０個の数珠玉を紐で結んで環状にし、前記紐の先端に紐房を取り付けたことを特徴とする数珠、並びに、箱及び蓋を蝶番により回動可能に取り付け、前記箱及び蓋の内側に数珠を保護する緩衝材を敷き、前記箱の内部に数珠を掛ける留具を設けたことを特徴とする数珠を収納する数珠収納箱により実現した。
【実施例１】
【００１０】
以下に、添付図面に基づいて、本考案である数珠及び数珠収納箱について詳細に説明する。図１は、本考案である数珠及び数珠収納箱の図である。
【００１１】
数珠及び数珠収納箱１は、数珠収納箱２及び数珠３からなる。数珠収納箱２は、箱２ａ及び蓋２ｂからなる木製の容器であり、数珠３を収納することができる。尚、数珠３については、実施例２において詳細に説明する。
【００１２】
数珠収納箱２は、箱２ａ及び蓋２ｂを蝶番２ｇにより回動可能に取り付け、前記箱２ａ及び蓋２ｂの内側に数珠３を保護する緩衝材２ｃ、２ｄを敷き、前記箱２ａの内部に数珠３を掛ける留具２ｆを設けたことを特徴とする。
【００１３】
箱２ａは、上面の空いた角状の平たい形状であり、内側は窪んでおり、内部に緩衝材２ｃが敷かれる。また、蓋２ｂは、下面の空いた角状の平たい形状であり、内側は窪んでおり、内部に緩衝材２ｄが貼り付けられる。
【００１４】
蓋２ｂは、箱２ａの上に載せられ、箱２ａと蓋２ｂとは奥側において、連結材２ｅ及び２つの蝶番２ｇにより回動可能に接続される。尚、箱２ａ及び蓋２ｂの奥側の角は、一部削られ、開閉しやすいようにする。
【００１５】
箱２ａの内部には、数珠３を収納した際に、数珠３を押さえるための留具２ｆが３箇所設けられる。尚、数珠３の紐房４ｐに巻かれているのは、紐房４ｐが解れないようにするための保護材５である。
【実施例２】
【００１６】
数珠３〜３ｋは、子から亥までの干支のいずれかの文字を刻んだ数珠玉４ａ、摩から経までの般若心経のいずれかの文字を刻んだ数珠玉４ｂ〜４ｋ、及び文字を刻んでいない数珠玉４、４ｌからなる２０個の数珠玉を紐４ｎで結んで環状にし、前記紐４ｎの先端に紐房４ｐを取り付けたことを特徴とする。
【００１７】
図２から図１３までは、本考案である数珠の図である。数珠３〜３ｋは、２０個の数珠玉４〜４ｌを紐４ｎで繋げたもので、数珠玉４ａにおいて紐出し４ｍから紐４ｎの先端を出し、房留め４ｏで束ねた紐房４ｐを２つ付ける。
【００１８】
数珠玉４、４ｌは、表面に文字が彫り込まれていない球状の玉である。尚、数珠玉４の直径は２０ｍｍ、数珠玉４ｌの直径は１８ｍｍであり、中央に紐４ｎを通すための孔を貫通させる。
【００１９】
数珠玉４ａは、表面に子から亥までの干支の文字６〜６ｋが彫り込まれた玉である。直径は２２ｍｍであり、中央には水平に紐４ｎを通す孔が貫通し、更に紐４ｎの先端を外に出すための孔も下方に空けられる。
【００２０】
尚、図２に示すように、数珠３の数珠玉４ａには「子」の文字６が刻まれ、図３に示すように、数珠３ａの数珠玉４ａには「丑」の文字６ａが刻まれ、図４に示すように、数珠３ｂの数珠玉４ａには「寅」の文字６ｂが刻まれ、図５に示すように、数珠３ｃの数珠玉４ａには「卯」の文字６ｃが刻まれる。
【００２１】
また、図６に示すように、数珠３ｄの数珠玉４ａには「辰」の文字６ｄが刻まれ、図７に示すように、数珠３ｅの数珠玉４ａには「巳」の文字６ｅが刻まれ、図８に示すように、数珠３ｆの数珠玉４ａには「午」の文字６ｆが刻まれ、図９に示すように、数珠３ｇの数珠玉４ａには「未」の文字６ｇが刻まれる。
【００２２】
更に、図１０に示すように、数珠３ｈの数珠玉４ａには「申」の文字６ｈが刻まれ、図１１に示すように、数珠３ｉの数珠玉４ａには「酉」の文字６ｉが刻まれ、図１２に示すように、数珠３ｊの数珠玉４ａには「戌」の文字６ｊが刻まれ、図１３に示すように、数珠３ｋの数珠玉４ａには「亥」の文字６ｋが刻まれる。
【００２３】
所有者は、数珠玉４ａに対し、自分の干支に応じて、文字（子）６、文字（丑）６ａ、文字（寅）６ｂ、文字（卯）６ｃ、文字（辰）６ｄ、文字（巳）６ｅ、文字（午）６ｆ、文字（未）６ｇ、文字（申）６ｈ、文字（酉）６ｉ、文字（戌）６ｊ又は文字（亥）６ｋのいずれかを刻むことができる。
【００２４】
数珠玉４ｂ〜４ｋは、般若心経の文字が彫り込まれた玉である。数珠玉４ｂには「摩」、数珠玉４ｃには「訶」、数珠玉４ｄには「般」、数珠玉４ｅには「若」、数珠玉４ｆには「波」、数珠玉４ｇには「羅」、数珠玉４ｈには「密」、数珠玉４ｉには「多」、数珠玉４ｊには「心」、数珠玉４ｋには「経」と刻まれる。
【００２５】
数珠玉４〜４ｌは、数珠玉（干支）４ａから左側に、数珠玉（波）４ｆ、数珠玉４、数珠玉（若）４ｅ、数珠玉４ｌ、数珠玉（般）４ｄ、数珠玉４、数珠玉（訶）４ｃ、数珠玉４、数珠玉（摩）４ｂ、数珠玉４、数珠玉（経）４ｋ、数珠玉４、数珠玉（心）４ｊ、数珠玉４、数珠玉（多）４ｉ、数珠玉４ｌ、数珠玉（密）４ｈ、数珠玉４、数珠玉（羅）４ｇの順に紐４ｎを通して、最後に数珠玉（干支）４ａの右側に繋いで環状にする。
【００２６】
紐４ｎの両端は、数珠玉４ａの下部に設けた紐出し４ｍから下方に出し、各端にはそれぞれ紐房４ｐが接続される。尚、紐４ｎを環状に結んだ上で、紐房４ｐに繋ぐ紐を下方に出しても良い。
【００２７】
紐房４ｐは、複数の紐からなる房であり、上部を房留め４ｏで束ねる。尚、紐房４ｐの紐の部分は、長さが５７ｍｍであり、房留め４ｏの部分は、長さが１３ｍｍで、直径が７ｍｍである。
【００２８】
以上のように、本考案である数珠及び数珠収納箱１は、数珠３に文字を刻むことにより装飾性が向上する。また、般若心経の文字を刻むことで、宗教性を高めると共に、所有者の干支の文字を刻むことで、親近感も持たせることができる。
【００２９】
また、数珠３を数珠収納箱２に収納することにより、緩衝材２ｃ、２ｄにより保護されるので、数珠３を傷つけずに保管することができる。
【図面の簡単な説明】
【００３０】
【図１】本考案である数珠及び数珠収納箱の図である。
【図２】本考案である数珠の図である。
【図３】本考案である数珠の図である。
【図４】本考案である数珠の図である。
【図５】本考案である数珠の図である。
【図６】本考案である数珠の図である。
【図７】本考案である数珠の図である。
【図８】本考案である数珠の図である。
【図９】本考案である数珠の図である。
【図１０】本考案である数珠の図である。
【図１１】本考案である数珠の図である。
【図１２】本考案である数珠の図である。
【図１３】本考案である数珠の図である。
【符号の説明】
【００３１】
１        数珠及び数珠収納箱
２        数珠収納箱
２ａ      箱
２ｂ      蓋
２ｃ      緩衝材
２ｄ      緩衝材
２ｅ      連結材
２ｆ      留具
２ｇ      蝶番
３        数珠
３ａ      数珠
３ｂ      数珠
３ｃ      数珠
３ｄ      数珠
３ｅ      数珠
３ｆ      数珠
３ｇ      数珠
３ｈ      数珠
３ｉ      数珠
３ｊ      数珠
３ｋ      数珠
４        数珠玉
４ａ      数珠玉（干支）
４ｂ      数珠玉（摩）
４ｃ      数珠玉（訶）
４ｄ      数珠玉（般）
４ｅ      数珠玉（若）
４ｆ      数珠玉（波）
４ｇ      数珠玉（羅）
４ｈ      数珠玉（密）
４ｉ      数珠玉（多）
４ｊ      数珠玉（心）
４ｋ      数珠玉（経）
４ｌ      数珠玉
４ｍ      紐出し
４ｎ      紐
４ｏ      房留め
４ｐ      紐房
５        保護材
６        文字（子）
６ａ      文字（丑）
６ｂ      文字（寅）
６ｃ      文字（卯）
６ｄ      文字（辰）
６ｅ      文字（巳）
６ｆ      文字（午）
６ｇ      文字（未）
６ｈ      文字（申）
６ｉ      文字（酉）
６ｊ      文字（戌）
６ｋ      文字（亥）
【図１】
0003121370.tif 000003
【図２】
0003121370.tif 000004
【図３】
0003121370.tif 000005
【図４】
0003121370.tif 000006
【図５】
0003121370.tif 000007
【図６】
0003121370.tif 000008
【図７】
0003121370.tif 000009
【図８】
0003121370.tif 000010
【図９】
0003121370.tif 000011
【図１０】
0003121370.tif 000012
【図１１】
0003121370.tif 000013
【図１２】
0003121370.tif 000014
【図１３】
0003121370.tif 000015